(57)【要約】【課題】原稿詰まりを伴わない原稿の給送異常を検出した場合の装置占有時間を短くできるとともに、給送異常検出時にユーザが行うべき作業を簡便化できる画像読取装置および画像形成装置を提供する。【解決手段】画像読取部１０２は、原稿給送部１０１から給送された原稿の画像データを生成する。画像読取部１０２が生成した画像データは、原稿折れ検出部３２１により検出された原稿折れの有無を識別できる状態で記憶部３０１に格納される。原稿折れが検出された場合、全原稿の給送が完了した後に、報知部３０３が、原稿折れが発生した原稿を特定する情報を報知する。その後、原稿折れが発生した原稿を、折れを修正した上でまとめて画像読取部１０２に新たに読み取らせると、画像差替部５０２が、記憶部３０１中の原稿折れが検出された画像データを、判定部５０１により同一原稿の画像データと判定された新たな画像データに自動的に差し替える。【選択図】図５
2008219330.tif 000002
【特許請求の範囲】
【請求項１】
原稿の画像を読み取る画像読取装置において、
原稿の画像を読み取り、画像データを生成する画像読取部と、
複数枚の原稿を搭載可能に構成され、搭載された原稿を前記画像読取部の画像読取位置に給送する原稿給送部と、
前記画像読取位置に給送された原稿の給送異常を検出する異常検出部と、
前記画像読取部が生成した画像データを、原稿の給送異常の有無を識別可能な状態で格納する記憶部と、
給送異常が検出された場合、前記原稿給送部に搭載された全原稿の給送が完了した後に、給送異常が発生した原稿を特定する情報を報知する報知部と、
を備えた画像読取装置。
【請求項２】
前記異常検出部が、原稿折れを検出する原稿折れ検出部を含むとともに、前記画像読取部により生成された画像データが、原稿折れの有無を識別可能な状態で前記記憶部に格納され、
前記記憶部に格納されている原稿折れが検出された画像データと、前記画像読取部に新たに読み取られた画像データとが、同一原稿の画像データであるか否かを判定する判定部と、
前記判定部が同一原稿の画像データであると判定した場合、前記原稿折れが検出された画像データを、前記新たに読み取られた画像データに差し替える画像差替部と、
をさらに備えた請求項１記載の画像読取装置。
【請求項３】
請求項１または２記載の画像読取装置と、
前記記憶部に格納された画像データを被転写材上に形成する画像形成部と、
を備えた画像形成装置。
【発明の詳細な説明】
【技術分野】
【０００１】
本発明は、原稿の画像を読み取る画像読取装置および当該画像読取装置を備えた画像読取装置に関する。
【背景技術】
【０００２】
複写機、スキャナ、ファクシミリ、およびこれらの複合機などの画像読取装置を備える装置では、複数枚の原稿の画像を高速に読み取るために、原稿トレイに搭載された原稿を１枚ずつ自動的に画像読取位置へ給送する原稿給送部を備えることがある。このような画像読取装置は、原稿給送中に原稿詰まりを検出すると、原稿給送部の動作を自動的に停止する。
【０００３】
しかしながら、原稿詰まりが発生しない場合であっても、原稿の重送や原稿折れ等の異常な給送が発生することがある。この場合、原稿給送部は停止することなく原稿を給送し、画像読取装置は給送された原稿の画像を読み取る。原稿給送中に異常な給送が発生した場合、画像読取装置が取得した画像には、例えば、重なった原稿の画像や、折れ曲がった原稿の画像等の異常な画像が含まれることになる。全原稿が正常に読み取られたか否かを判断するためには、取得画像をディスプレイ上に表示あるいは用紙上に出力して画像を確認する必要がある。
【０００４】
原稿枚数が多い場合、全取得画像を確認するには、多大な時間を要する。このため、原稿詰まりを伴わない異常な給送を検出し、異常給送が検出されたときに原稿給送部の動作を停止させる技術が提案されている（例えば、特許文献１、２等参照。）。
【特許文献１】特開平８−８５６４７号公報
【特許文献２】特開２００４−２３４２７号公報
【発明の開示】
【発明が解決しようとする課題】
【０００５】
しかしながら、特許文献１および特許文献２に開示された技術では、原稿詰まりを伴わない異常給送が発生した場合、ユーザは、原稿給送部に当初搭載された原稿束に対応する正常な画像データ群を得るために、異常給送が発生した原稿の異常を修正した後、読み込みを再開しなければならない。このとき、原稿給送部には、修正した原稿と以降の原稿とが搭載される。原稿給送部に搭載した全ての原稿の読み込みが完了するまでの間に、原稿詰まりを伴わない異常給送が複数回発生した場合は、異常給送が発生した都度、ユーザは、その作業を行う必要があり、非常に手間がかかる。
【０００６】
また、異常給送が発生した都度、特許文献１および特許文献２に開示された技術では、原稿給送部に原稿を搭載した後、ユーザが画像読取装置から離れていた場合、原稿詰まりを伴わない異常給送が発生すると、給送異常を検出した状態で画像読取装置が停止し続けることになる。このとき、画像読取装置は、後続の画像データを取得のために、原稿給送の再開を待機している状態にあり、原稿給送部には、原稿が搭載されたままになっている。このため、画像読取装置は、原稿を搭載したユーザに占有されてしまい、他のユーザは使用できない状況が発生する。
【０００７】
本発明は、上記従来の事情を鑑みて提案されたものであって、原稿詰まりを伴わない原稿の給送異常を検出した場合の装置占有時間を短くできるとともに、給送異常検出時にユーザが行うべき作業を簡便化できる画像読取装置および画像形成装置を提供することを目的としている。
【課題を解決するための手段】
【０００８】
本発明の提供する画像読取装置は、原稿読取部、原稿給送部、異常検出部、記憶部、および報知部を備える。画像読取部は、原稿の画像を読み取り、画像データを生成する。原稿給送部は、複数枚の原稿を搭載可能に構成されおり、搭載された原稿を画像読取部の画像読取位置に給送する。異常検出部は、画像読取部に給送された原稿の給送異常を検出する。画像読取部が生成した画像データは、原稿の給送異常の有無を識別可能な状態で記憶部に格納される。また、報知部は、給送異常が検出された場合、原稿給送部に搭載された全原稿の給送が完了した後に、給送異常が発生した原稿を特定する情報を報知する。ここで、画像読取部に給送された原稿の給送異常とは、重送や原稿折れ等の紙詰まりを伴わない給送異常である。
【０００９】
この画像読取装置は、原稿詰まりを伴わない給送異常を検出した場合、原稿給送部に搭載された全原稿の給送が完了した後に、給送異常が検出された原稿を特定する情報を報知する。したがって、原稿の給送異常が発生した場合でも、装置が占有される時間は、原稿が異常なく給送された場合と同等である。
【００１０】
また、上記異常検出部が、原稿折れを検出する原稿折れ検出部を含むとともに、画像読取部により生成された画像データが、原稿折れの有無を識別可能な状態で記憶部に格納される場合、上記画像読取装置は判定部と画像差替部とをさらに備えることが好ましい。ここで、判定部は、記憶部に格納されている原稿折れが検出された画像データと、画像読取部に新たに読み取られた画像データとが、同一原稿の画像データであるか否かを判定する。画像差替部は、判定部が同一原稿の画像データであると判定した場合、上記原稿折れが検出された画像データを、前記新たに読み取られた画像データに差し替える。
【００１１】
この画像読取装置は、原稿折れが検出され原稿の画像データが記憶部に格納されていた場合、ユーザが、原稿折れが報知された原稿のみをまとめて、折れを修正した上で画像読取装置に再読取させるだけで、原稿折れが検出された原稿の画像データを正常な画像データに差し替えることができる。
【００１２】
本発明の他の態様によれば、上述の画像読取装置と、上記記憶部に格納された画像データを被転写材上に形成する画像形成部とを備える画像形成装置を提供することができる。
【発明の効果】
【００１３】
本発明によれば、原稿詰まりを伴わない原稿の給送異常が発生した場合であっても、画像読取装置の占有時間を、給送異常なく原稿が給送された場合と同等にすることができる。したがって、給送異常発生時の装置占有時間を従来に比べて、著しく低減することができる。
【００１４】
また、給送異常が原稿折れである場合、原稿折れが報知された原稿のみをまとめて、折れを修正した上で再読取させるだけで、原稿折れが検出された原稿の画像データを正常な画像データに差し替えることができる。したがって、原稿給送部に搭載された原稿束に対応する正常な画像データ群を得るためにユーザが行うべき作業を著しく簡便化することができる。
【発明を実施するための最良の形態】
【００１５】
以下、本発明の実施形態について、図面を参照しながらより詳細に説明する。以下では、画像読取装置を備えたデジタル複写機として本発明を具体化する。
【００１６】
（第１の実施形態）
図１は複写機の全体構成を示す概略構成図である。図１に示すように、複写機１００は、画像読取部１０２および画像形成部１０３を備えている。画像読取部１０２は、原稿の画像を読み取りその画像のデジタルデータを生成する。画像読取部１０２は、コンタクトガラス等の透明板からなる原稿台１０４をその筐体上面に有している。原稿は、その原稿台１０４に載置することができる。原稿台１０４の下方には走査光学系１０５が配置されている。走査光学系１０５は、第１キャリッジ１０６や第２キャリッジ１０７、集光レンズ１０８を備える。第１キャリッジ１０６には線状の光源１０９およびミラー１１０が設けられ、第２キャリッジ１０７にはミラー１１１および１１２が設けられている。光源１０９は原稿を照明する。ミラー１１０、１１１、１１２は、原稿からの反射光を集光レンズ１０８に導き、集光レンズ１０８はその光像をラインイメージセンサ１１３の受光面に結像する。この走査光学系１０５において、第１キャリッジ１０６および第２キャリッジ１０７は、副走査方向１１４に往復動可能に設けられている。第１キャリッジ１０６および第２キャリッジ１０７を副走査方向１１４に移動することによって、原稿台１０４に載置された原稿の画像をイメージセンサ１１３で読み取ることができる。イメージセンサ１１３は、受光面に入射した光像から、原稿の画像データを生成する。
【００１７】
画像形成部１０３は、画像読取部１０２で得た画像データや、図示しないネットワークアダプタ等を介して、ネットワークを通じて他の機器から受信した画像データを用紙等の被転写材に印刷する。画像形成部１０３には、感光体ドラム１１５が設けられている。この感光体ドラム１１５は、一定速度で矢印方向１１６に回転する。感光体ドラム１１５の周囲には、回転方向の上流側から順に、帯電器１１７、露光器１１８、現像器１１９、転写器１２０、クリーニングユニット１２１が配置されている。帯電器１１７は、感光体ドラム１１５表面を一様に帯電させる。露光器１１８は、一様に帯電した感光体ドラム１１５の表面に、画像データに応じて光を照射し、感光体ドラム１１５上に静電潜像を形成する。現像器１１９は、その静電潜像にトナーを付着させ、感光体ドラム１１５上にトナー像を形成する。転写器１２０は、感光体ドラム１１５上のトナー像を用紙に転写する。クリーニングユニット１２１は、転写後も感光体ドラム１１５表面に残留した廃トナーを感光体ドラム１１５から除去して感光体ドラム１１５表面をクリーニングする。感光体ドラム１１５が回転することによりこれらのプロセスが一連で行われる。
【００１８】
画像形成部１０３は、手差しトレイ１３１、給紙カセット１２２および１２３等から、感光体ドラム１１５と転写器１２０との間の転写部に用紙を給送する。手差しトレイ１３１や各給紙カセット１２２、１２３には、様々なサイズの用紙を載置または収容することができる。画像形成部１０３は、ユーザの指定した用紙や、自動検知した原稿のサイズに応じた用紙を選択し、選択した用紙を給送ローラ１２４により手差しトレイ１３１やカセット１２２、１２３から引き出す。引き出した用紙は搬送ローラ１２５やレジストローラ１２６で転写部に送り込む。トナー像を転写した用紙は、定着器１２７に搬送される。定着器１２７は、定着ローラ１２８および加圧ローラ１２９を有しており、熱と押圧力によってトナー像を用紙に定着する。画像形成部１０３は、定着器１２７を通過した用紙を排紙トレイ１３０へ排紙する。
【００１９】
このような複写機１００において、画像読取部１０２の上側には原稿給送部１０１が開閉可能に取り付けられている。原稿給送部１０１には、原稿トレイ１３６、搬送路１３７および排紙トレイ１３８が備えられている。ユーザは、原稿台１０４に原稿を載置するか、この原稿給送部１０１に原稿をセットする。原稿給送部１０１は、原稿トレイ１３６にセットされた原稿を１枚ずつ搬送路１３７へ送り出す。その搬送路１３７上には画像読取位置１３９がある。画像読取部１０２の筐体上面には、原稿台１０４だけでなく、その画像読取位置１３９に対する読取用ガラス１４０も設けられている。原稿給送部１０１にセットされた原稿の画像を読み取る場合、画像読取部１０２は、第１キャリッジ１０６および第２キャリッジ１０７を画像読取位置１３９に合わせて一時的に固定する。原稿が画像読取位置１３９を通過するとき、読取用ガラス１４０を通じて原稿を照明し、原稿の画像を読み取る。画像読取位置１３９を通過した原稿は、排紙トレイ１３８に排出される。
【００２０】
図２は、複写機１００の制御系の構成例を示す図である。複写機１００の制御部２００には、専用回路か汎用の演算回路を用いることができる。この実施の形態では、汎用回路を用いており、制御部２００は、ＣＰＵ（Central Processing Unit）２０１、ＲＡＭ（Random Access Memory）２０２、ＲＯＭ（Read Only Memory）２０３、ＨＤＤ（Hard Disk Drive）２０４が内部バス２０５を介して接続されている。上記ＣＰＵ２０１は、例えばＲＡＭ２０２を作業領域として利用し、ＲＯＭ２０３やＨＤＤ２０４等に記憶されているプログラムを実行することで、複写機１００の各部の動作を制御する。
【００２１】
図３は、複写機１００を示す概略機能ブロック図である。図３に示すように、複写機１００は、図１に図示しない、記憶部３０１、異常検出部３０２、および報知部３０３を備える。記憶部３０１は、例えば、上述のＲＡＭやＨＤＤ等により構成することができる。本実施形態では、画像読取部１０２は図示しないバッファメモリを備えており、１枚分の原稿の画像データを生成したときに、当該画像データを記憶部３０１に格納する。
【００２２】
異常検出部３０２は、画像読取部１０２の画像読取位置１３９に給送された原稿の給送異常を検出する。ここで、給送異常とは、重送や原稿折れ等の原稿詰まりを伴わない異常である。給送異常を検出可能な構成であれば、異常検出部３０２の構成は特に限定されない。例えば、異常検出部３０２は、給送中の原稿に光を照射して、重送や原稿折れにより生じる原稿の重なりを影として検出することにより、給送異常を検出することができる。また、画像読取位置３１９を通過する原稿の長さ（主走査方向の長さ）や幅（副走査方向の長さ）の変動を検出することにより、給送異常を検出してもよい。あるいは、画像読取位置３１９を通過する原稿の給送方向に沿う２辺の給送方向に対する傾き角を検出することにより、給送異常を検出してもよい。このような異常検出部３０２は、例えば、各種検出器と、上記ＣＰＵ２０１およびＣＰＵ２０１上で動作するプログラムとして実現することができる。また、異常検出部３０２は、画像読取部１０２が生成した画像データに対して、エッジ形状を抽出する等の画像処理を行うことにより、給送異常を検出する構成であってもよい。この場合、異常検出部３０２は、例えば、上記ＣＰＵ２０１およびＣＰＵ２０１上で動作するプログラムとして実現することができる。なお、本実施形態では、異常検出部３０２は、給送異常の検出結果を画像読取部１０２に通知する。画像読取部１０２は、その画像データを、給送異常の有無を識別可能な状態で記憶部３０１に格納する
報知部３０３は、原稿の給送異常が検出された場合に、給送異常が発生した原稿を特定する情報を報知する。本実施形態では、報知部３０３は、記憶部３０１に格納された画像データに基づいて、給送異常が発生した原稿の読取順と、縮小画像を表示部３０４に表示する。なお、本実施形態では、表示部３０４は、ユーザが複写機１００に対して複写開始等の指示を与えたり、各種設定や状態確認を行ったりする操作パネルのディスプレイである。報知部３０３も、上記ＣＰＵ２０１およびＣＰＵ２０１上で動作するプログラムとして実現することができる。
【００２３】
図４は、複写機１００の原稿読取処理を示すフローチャートである。原稿トレイ１３６に原稿束がセットされ、複写機１００のスタートボタンが押下されると、原稿給送が開始される。原稿給送部１０１は、まず、１枚目の原稿を原稿読取部１０２の原稿読取位置１３９へ給送する。このとき、画像読取部１０２は、自身が備える原稿枚数を計数するカウンタＮを１として、１枚目の原稿を上述のようにして読み取る（ステップＳ４０１、Ｓ４０２）。このとき、異常検出部３０２は、原稿読取位置１３９に到達した原稿の給送異常を上述の手法により検出し、検出結果を原稿読取部１０２に通知する。検出結果を受信した画像読取部１０２は、記憶部３０１にカウンタＮの値と、生成した画像データとを関連づけて格納する。本実施形態では、給送異常の有無を識別可能とするために、画像読取部１０２は、給送異常がなかった場合、その原稿の画像データを記憶部３０１の第１の記憶領域へ格納する（ステップＳ４０３Ｎｏ、Ｓ４０４）。また、給送異常があった場合、画像読取部１０２は、画像データを記憶部３０１の第２の記憶領域へ格納する（ステップＳ４０３Ｙｅｓ、Ｓ４０５）。また、本実施形態では、記憶部３０１には、各画像データが属する画像データ群を示すデータ（原稿給送部１０１に同時に搭載されたことを示すデータ）も、各画像データに関連づけて格納されている。
【００２４】
記憶部３０１への画像データの格納が完了すると、原稿読取部１０２はカウンタＮを１だけ増加させる（ステップＳ４０６）。そして、原稿給送部１０１は、次原稿が存在する場合には、次原稿を画像読取部１０２の原稿読取位置１３９に給送するとともに、上述のステップＳ４０２からＳ４０７の処理が実施される（ステップＳ４０７Ｙｅｓ）。また、次原稿が存在しない場合には、原稿給送部１０１は、報知部３０３にその旨を通知する。通知を受信した報知部３０３は、記憶部３０１の第２の記憶領域を検索する。第２の記憶領域に画像データが格納されていた場合、報知部３０３は、その画像データの原稿読取順（カウンタＮの値）と、その画像データが示す画像の縮小画像とを表示部３０４に表示する（ステップＳ４０７Ｎｏ、Ｓ４０８）。第２の記憶領域に画像データが格納されていなかった場合、本実施形態では、報知部３０３は、表示部３０４に全原稿が正常に給送された旨を表示する。なお、報知部３０３は表示部３０４に限らず、ユーザが認識可能な任意の手法により、給送異常が発生した原稿を特定可能な情報を報知すればよい。
【００２５】
また、スタートボタンの押下により複写機１００に指示された動作が複写動作であった場合、画像形成部１０３は、給送異常が検出されなかった場合にのみ、原稿束に対応する画像データ群と、原稿読取順とに基づいて、順に用紙等の被転写体上に印刷（画像形成）する。また、給送異常が検出された場合は、被転写体上に印刷を行うことなく処理を終了する。なお、画像形成部１０３が被転写体への印刷を行うか否かは、図３に示すように、画像形成部１０３が報知部３０３から指示を受信する構成を採用すればよい。あるいは、画像形成部１０３が、記憶部３０１の第２の記憶領域を検索し、給送異常の有無を判断する構成であってもよい。
【００２６】
本構成によれば、原稿給送部１０１に搭載された全原稿の給送が完了した後に、給送異常が検出された原稿を特定するための情報が報知される。したがって、原稿詰まりを伴わない原稿の給送異常が検出された場合でも、原稿の給送が停止されることがなく、原稿給送部に搭載された原稿は全て画像読取部１０２に給送される。このため、原稿の給送異常が発生した場合でも、装置が占有される時間は、原稿が異常なく給送された場合と同等である。したがって、本実施形態によれば、給送異常発生時の装置占有時間を従来に比べて、著しく低減することができる。
【００２７】
給送異常の発生を確認したユーザは、表示部３０４に表示された情報に基づいて、給送異常が検出された原稿を特定する。そして、特定した原稿を原稿給送部１０１あるいは原稿台１０４を通じて複写機１００に再度読み取らせる。そして、複写機等が備える公知の編集機能等により、記憶部３０１に格納されている給送異常が発生した画像データを正常な画像データと入れ替える。例えば、給送異常が原稿折れであった場合には、ユーザは原稿折れが生じている原稿の画像データを、その原稿に対応する正常な画像データに置換すればよい。また、給送異常が重送であった場合には、ユーザは重送された原稿の画像データを、重送された原稿に対応する複数の画像データに置換すればよい。これにより、ユーザは、原稿給送部１０１に、当初搭載した原稿束に対応する正常な画像データ群を得ることができる。正常な画像データ群を得たユーザは、当該画像データ群を必要に応じて印刷すればよい。
【００２８】
なお、本実施形態では、取得された画像データは記憶部３０１に格納されている。したがって、このような画像データの入れ替えは、画像データを取得した直後に行う必要はなく、適宜、記憶部３０１から読み出して行ってもよい。また、ユーザが、表示部３０４に表示された縮小画像により、軽微な異常であると判断した場合には、給送異常が検出された原稿の画像データを置換することなく、画像データ群を印刷してもよい。
【００２９】
また、上記説明では、給送異常の有無を識別可能とする一例として、給送異常が発生した原稿の画像データと、正常に給送された原稿の画像データとを記憶部３０１の異なる記憶領域に格納した。しかしながら、画像データは、給送異常の有無を示す情報と関連づけた状態で記憶部３０１に格納されていればよい。
【００３０】
（第２の実施形態）
ところで、上述のように、原稿詰まりを伴わない給送異常には、重送や原稿折れ等がある。重送の場合、原稿給送部に搭載された原稿枚数と、画像読取部により生成された画像データの数とは一致しない。しかしながら、原稿折れの場合、原稿給送部に搭載された原稿枚数と、画像読取部により生成された画像データの数とが一致する。この場合、原稿給送部に当初搭載された原稿束に対応する正常な画像データ群を得るためにユーザが行うべき作業は、異常な画像データと正常な画像データとを１対１で置換する作業になる。そこで、本実施形態では、原稿給送部に当初搭載された原稿枚数と、画像読取部により生成された画像データの数とが一致する場合に、ユーザが行うべき作業をさらに簡便化できる構成について説明する。
【００３１】
図５は、本発明の第２の実施形態に係る複写機を示す概略機能ブロック図である。なお、本実施形態の複写機５００の全体構成および制御系の構成は第１の実施形態の複写機１００と同一であるため、ここでの説明は省略する。
【００３２】
図５に示すように、本実施形態の複写機５００は、第１の実施形態の構成に加えて、判定部５０１と画像差替部５０２とを備えている。また、複写機５００の異常検出部３０２は、原稿折れを検出する原稿折れ検出部３２１を備えている。原稿折れ検出部３２１は、例えば、画像読取位置３１９を通過する原稿の給送方向に沿う２辺の給送方向に対する傾き角を検出することにより、原稿折れを検出する。なお、ここでは、原稿折れは、原稿のシワやたわみも含む。また、本実施形態では、原稿折れ検出部３２１が原稿折れを検出した場合、画像読取部１０２が生成した画像データは、原稿折れの有無を識別可能な状態で記憶部３０１に格納される。
【００３３】
判定部５０１は、記憶部３０１に格納されている原稿折れが検出された画像データ（以下、原稿折れ画像データという。）と、画像読取部１０２に新たに読み取られた画像データ（以下、再読取画像データという。）とが、同一原稿の画像データであるか否かを判定する。また、画像差替部５０２は、判定部５０１が同一原稿の画像データであると判定した場合、記憶部３０１に格納されている原稿折れ画像データを、再読取画像データに差し替える。なお、判定部５０１および画像差替部５０２は、上記ＣＰＵ２０１およびＣＰＵ２０１上で動作するプログラムとして実現することができる。
【００３４】
図６は、判定部５０１および画像差替部５０２が行う画像差替処理の一例を示す模式図である。図６では、原稿給送部１０１に当初５枚の原稿Ａ、Ｂ、Ｃ、Ｄ、Ｅが搭載され、原稿Ｂに原稿折れが発生した場合を示している。また、図７は、この場合の記憶部３０１における画像データの状態を示す模式図である。なお、原稿読取処理は、図４に示した手順で実施される。
【００３５】
原稿読取処理が完了したとき、原稿束に対応する画像データ群は、図６（ａ）に示すように、正常に読み取られた原稿Ａ、Ｃ、Ｄ、Ｅの画像データと、原稿折れが発生した状態で読み取られた原稿Ｂの画像データにより構成されている。また、図７（ａ）に示すように、記憶部３０１では、原稿Ａ、Ｃ、Ｄ、Ｅの画像データは第１の記憶領域に格納され、原稿Ｂの画像データは第２の記憶領域に格納されている。この場合、報知部３０３は、原稿折れが発生した原稿を特定するための情報として、表示部３０４に、「２枚目」と原稿Ｂの原稿折れ画像データの縮小画像を表示する。
【００３６】
表示部３０４に表示された情報により、ユーザは、原稿Ｂに原稿折れが発生したことを確認し、原稿折れを修正した状態で原稿Ｂを、原稿給送部１０１または原稿台１０４に再度搭載する。そして、ユーザが、複写機５００のスタートボタンを押下すると、画像読取部１０２において、原稿Ｂの画像データが再度生成される。図６（ｂ）では、当初取得された画像データ群と、原稿Ｂの再読取画像データとを併記している。ここでは、原稿Ｂが、給送異常が発生することなく読み取られたものとする。このとき、原稿Ｂの再読取画像データは、図７（ｂ）に示すように、第１の記憶領域に格納される。
【００３７】
原稿の再読取が行われると、判定部５０１が、原稿Ｂの再読取画像データと、記憶部３０１の第２の記憶領域に格納されている画像データとを比較し、同一原稿の画像データであるか否かを判定する。このような判定は、例えば、両画像データから特徴的な画像（頁番号も含む）を抽出して比較することや、両画像内の複数領域の画像を抽出してそれぞれ比較すること等により行う。なお、原稿Ｂの原稿折れ画像データと、正常な原稿Ｂの画像データとは、折れが発生した部分で異なっている。このため、判定部５０１は、両画像データの外形を検出し、外形が異なっている領域の近傍では、画像の比較を行わない構成とすることが好ましい。この例では、同一原稿の画像データであるので、判定部５０１は、両画像データが同一原稿の画像データであると判定する。判定部５０１は、判定結果を画像差替部５０２に通知する。例えば、判定部５０１は、同一原稿の画像データであると判定した両画像データの記憶部３０１における格納位置を示す情報を画像差替部５０２に通知する。
【００３８】
判定結果を受信した画像差替部５０２は、判定部５０１により同一原稿の画像データと判定された両画像データを差し替える。当該差し替えは、例えば、各画像データと関連づけて記録されている、画像データの属性情報（例えば、上述の画像データが属する画像データ群を示す情報や画像読取順を示す情報）を書き換えることにより行うことができる。図６および図７の例では、画像差替部５０２は、第２の記憶領域に格納されている原稿Ｂの原稿折れ画像データに関連づけられた属性情報を取得し、当該属性情報を原稿Ｂの再読取画像データの属性情報として記録する。このとき、画像差替部５０２は、原稿Ｂの原稿折れ画像データの属性情報を他の情報に書き換え、原稿Ｂの原稿折れ画像データが同一の画像データ群に属さない状態にする。これにより、複写機５００により当該画像データ群に属すると認識される画像データは、図６（ｃ）に示すように、当初取得された原稿Ａ、Ｃ、Ｄ、Ｅの画像データと、原稿Ｂの再読取画像データになる。
【００３９】
このように、本実施形態では、ユーザは、原稿折れが発生していた原稿を原稿折れを修正した状態で原稿読取部１０２に再度読み取らせるだけで、原稿給送部１０１に当初搭載した原稿束に対応する正常な画像データ群を得ることができる。
【００４０】
また、図８は、判定部５０１および画像差替部５０２が行う画像差替処理の他の例を示す模式図である。図８では、原稿給送部１０１に当初５枚の原稿Ａ、Ｂ、Ｃ、Ｄ、Ｅが搭載され、原稿Ｂおよび原稿Ｄに原稿折れが発生した場合を示している。
【００４１】
この場合、原稿読取処理が完了したとき、原稿束に対応する画像データ群は、図８（ａ）に示すように、正常に読み取られた原稿Ａ、Ｃ、Ｅの画像データと、原稿Ｂ、Ｄの原稿折れ画像データにより構成されている。この場合、報知部３０３は、原稿折れが発生した原稿を特定するための情報として、表示部３０４に、「２枚目、４枚目」と原稿Ｂおよび原稿Ｄの画像データの縮小画像を表示する。
【００４２】
表示部３０４に表示された情報により、ユーザは、原稿Ｂおよび原稿Ｄに原稿折れが発生したことを確認し、原稿折れを修正した状態で原稿Ｂおよび原稿Ｄを、原稿給送部１０１に再度搭載する。そして、ユーザが、複写機５００のスタートボタンを押下すると、画像読取部１０２において、原稿Ｂおよび原稿Ｄの画像データが再度生成される。ここでは、ユーザが、原稿Ｄ、原稿Ｂの順で原稿給送部１０１に原稿を搭載したとする。図８（ａ）では、当初取得された画像データ群と、原稿Ｄおよび原稿Ｂの再読取画像データとを併記している。ここでは、原稿Ｄおよび原稿Ｂが、給送異常が発生することなく読み取られたものとする。
【００４３】
原稿の再読取が行われると、判定部５０１は、まず、原稿Ｄの再読取画像データと、記憶部３０１の第２の記憶領域に格納されている画像データとを比較し、同一原稿の画像データであるか否かを判定する。ここでは、記憶部３０１の第２の記憶領域には、原稿Ｂの原稿折れ画像データと原稿Ｄの原稿折れ画像データとが格納されている。判定部５０１は、原稿読取順に、原稿Ｂの原稿折れ画像データを、原稿Ｄの再読取画像データと比較する。ここでは、原稿Ｂと原稿Ｄとは、同一原稿の画像データではないため、判定部５０１は、両画像データが同一原稿の画像ではないと判定する。次いで、判定部５０１は、原稿Ｄの原稿折れ画像データを、原稿Ｄの再読取画像データと比較する。この例では、同一原稿の画像データであるので、判定部５０１は、両画像データが同一原稿の画像であると判定する。このとき、判定結果を受信した画像差替部５０２は、上述した手法により、原稿Ｄの原稿折れ画像データと原稿Ｄの再読取データとを差し替える。これにより、画像データ群は、図８（ｂ）に示すように、当初取得された原稿Ａ、Ｂ、Ｃ、Ｅの画像データと、原稿Ｄの再読取画像データになる。
【００４４】
続いて、判定部５０１は、原稿Ｂの再読取画像データと、記憶部３０１の第２の記憶領域に格納されている画像データとを比較し、同一原稿の画像データであるか否かを判定する。このとき、記憶部３０１の第２の記憶領域には、原稿Ｂの原稿折れ画像データが格納されている（原稿Ｄの原稿折れ画像データは上述の処理により認識されなくなっている。）。このため、判定部５０１は、原稿Ｂの原稿折れ画像データと原稿Ｂの再読取画像データとを比較する。この例では、同一原稿の画像データであるので、判定部５０１は、両画像データが同一原稿の画像であると判定する。このとき、判定結果を受信した画像差替部５０２は、上述した手法により、原稿Ｂの原稿折れ画像データを、原稿Ｂの再読取データに差し替える。これにより、画像データ群は、図８（ｃ）に示すように、当初取得された原稿Ａ、Ｃ、Ｅの画像データと、原稿Ｂ、Ｄの再読取画像データになる。
【００４５】
このように、本実施形態では、ユーザは、原稿折れが発生していた原稿を原稿折れを修正した状態で、原稿順を気にすることなく、原稿給送部１０１に再度搭載するだけで、原稿給送部１０１に当初搭載した原稿束に対応する正常な画像データ群を得ることができる。
【００４６】
また、スタートボタンの押下により複写機５００に指示された動作が複写動作であった場合には、第１の実施形態と同様の手法により、印刷を行えばよい。しかしながら、本実施形態では、上述のように、原稿折れが報知された原稿をまとめて再読取させるだけで、正常な画像データ群を得ることができる。このため、再読取処理（画像差替処理）と並行して以下の手順で印刷を行ってもよい。図９は、本実施形態における印刷処理の手順を示すフローチャートである。この例では、図４に示した画像取得処理が完了した時点で、画像形成部１０３が直ちに印刷を開始する。
【００４７】
図９に示すように、画像形成部１０３は、まず、自身が備える画像データ数を計数するカウンタＮを１として、１枚目の画像データを記憶部３０１から検索する（ステップＳ９０１、Ｓ９０２）。検索の結果、画像データが第１の記憶領域に存在した場合、画像形成部１０３は、その画像データを印刷する（ステップＳ９０３Ｎｏ、Ｓ９０８）。そして、画像形成部１０３は、カウンタＮの値を１だけ増加させ、次画像データが存在する場合には、次画像データを記憶部３０１から検索する（ステップＳ９０９、Ｓ９１０Ｙｅｓ）。なお、次画像データが存在するか否かは、例えば、原稿給送部１０１が給送した原稿枚数と、カウンタＮの値を比較することにより判断することができる。
【００４８】
一方、Ｎ枚目の画像データが、検索の結果、第２の記憶領域に存在した場合、画像形成部１０３は、並行して実施されている再読取処理が完了するまで待機する（ステップＳ９０３Ｙｅｓ、Ｓ９０４、Ｓ９０５Ｎｏ）。再読取処理が完了すると、画像形成部１０３は、再度、Ｎ枚目の画像データを記憶部３０１から検索する（ステップＳ９０５Ｙｅｓ、Ｓ９０６）。検索の結果、画像データが第１の記憶領域に存在した場合、画像形成部１０３は、その画像データを印刷する（ステップＳ９０７Ｎｏ、Ｓ９０８）。上述のように、画像差替処理により、正常な画像データへの差し替えが完了していると、Ｎ枚目の画像データは第１の記憶領域に存在している。このため、Ｎ枚目の画像データは印刷される。また、検索の結果、Ｎ枚目の画像データが第２の記憶領域に存在した場合、画像形成部１０３は、再読取を再度実施するか否かをユーザに問い合わせる（ステップＳ９０７Ｙｅｓ、Ｓ９１１）。当該問い合わせは、例えば、表示部３０４を通じて行えばよい。この例では、ユーザが並行して再読取処理を行っているため、ユーザは直ちに返答可能である。
【００４９】
問い合わせの結果、再読取処理を再度実施する場合、画像形成部１０３は、再読取処理が完了するまで待機する（ステップＳ９１１Ｙｅｓ、Ｓ９０４、Ｓ９０５Ｎｏ）。また、問い合わせの結果、再読取処理を実施しない場合、画像形成部１０３は、第２の記憶領域に格納されているＮ枚目の画像データを印刷する（ステップＳ９１１Ｎｏ、Ｓ９０８）。当該手順は、例えば、画像データの異常が軽微であるとユーザが判断した場合等に使用される。
【００５０】
以上の処理が実施され、次画像データがなくなった場合には、印刷処理が終了する（ステップＳ９１０Ｎｏ）。このような印刷処理を行うことにより、再読取処理を完了した後に印刷処理を開始する場合に比べて、短時間で印刷を完了することができる。
【００５１】
なお、上記では、給送異常として、原稿折れのみが発生した場合について説明したが、原稿折れと重送とが発生した場合でも、原稿折れが発生した原稿については、上述の手法を採用することにより、差し替えを自動的に行うことが可能である。この場合、画像読取部１０２が生成した画像データを、原稿折れが発生した原稿と重送が発生した原稿とが識別可能な状態で記憶部３０１に格納する構成とすればよい。また、報知部３０３が、原稿折れが発生した原稿と重送が発生した原稿とが識別可能な状態で給送異常が発生した原稿を特定する情報を報知する構成にすればよい。この場合、ユーザは、重送が発生した原稿の画像データを、重送された原稿に対応する複数の画像データに置換する必要があるが、原稿折れが発生した原稿に対しては、作業が簡便化される。
【００５２】
以上説明したように、本発明によれば、原稿詰まりを伴わない原稿の給送異常が発生した場合であっても、画像読取装置の占有時間を、給送異常なく原稿が給送された場合と同等にすることができる。したがって、給送異常発生時の装置占有時間を従来に比べて、著しく低減することができる。
【００５３】
また、給送異常が原稿折れである場合、原稿折れが報知された原稿のみをまとめて、折れを修正した上で再読み込みさせるだけで、原稿折れが検出された原稿の画像データを正常な画像データに差し替えることができる。したがって、原稿給送部に搭載された原稿束に対応する正常な画像データ群を得るためにユーザが行うべき作業を著しく簡便化することができる。
【００５４】
なお、上述した各実施形態は本発明の技術的範囲を制限するものではなく、既に記載したもの以外でも、本発明の範囲内で種々の変形や応用が可能である。また、上述の実施形態では、デジタル複写機として本発明を具体化したが、デジタル複写機に限らず、ファクシミリ、スキャナ、複合機などの原稿給送機能を備える任意の画像読取装置に本発明を適用することができる。
【産業上の利用可能性】
【００５５】
本発明は、原稿詰まりを伴わない原稿の給送異常を検出した場合の装置占有時間を短くできるとともに、給送異常発生時にユーザが行うべき作業を簡便化できるという効果を有し、画像読取装置および画像形成装置として有用である。
【図面の簡単な説明】
【００５６】
【図１】本発明が適用される複写機の全体構成の一例を示す図
【図２】本発明が適用される複写機の制御系の一例を示す図
【図３】本発明の第１の実施形態における画像読取装置の概略機能ブロック図
【図４】本発明の第１および第２の実施形態における画像読取装置の原稿読取処理を示すフローチャート
【図５】本発明の第２の実施形態における画像読取装置の概略機能ブロック図
【図６】本発明の第２の実施形態における画像差替処理の一例を示す模式図
【図７】図６における画像差替処理中の記憶部内の状態を示す模式図
【図８】本発明の第２の実施形態における画像差替処理の他の例を示す模式図
【図９】本発明の第２の実施形態における印刷処理の一例を示すフローチャート
【符号の説明】
【００５７】
１００、５００  複写機
１０１  原稿給送部
１０２  画像読取部
１０３  画像形成部
３０１  記憶部
３０２  異常検出部
３２１  原稿折れ検出部
３０３  報知部
５０１  判定部
５０２  画像差替部
【図１】
2008219330.tif 000003
【図２】
2008219330.tif 000004
【図３】
2008219330.tif 000005
【図４】
2008219330.tif 000006
【図５】
2008219330.tif 000007
【図６】
2008219330.tif 000008
【図７】
2008219330.tif 000009
【図８】
2008219330.tif 000010
【図９】
2008219330.tif 000011